【手続補正書】
【提出日】平成16年10月26日(2004.10.26)
【手続補正１】
【補正対象書類名】明細書
【補正対象項目名】全文
【補正方法】変更
【補正の内容】
【書類名】            明細書【発明の名称】      遺骨の収納体【特許請求の範囲】    【請求項１】喉仏等の遺骨を持ち運び可能な１５〜３０cm程の大きさの仏像様の座禅草状に仏炎苞部、肉穂花序部を設けた形象体とし、その卵形とした肉穂花序部の上部を開閉可能としてその内部に遺骨を収容するようにして、この形象体を家庭の床や飾り棚等に安置するようにしたことを特徴とする遺骨の収納体。    【請求項２】形象体を台座に搭載してその台座の上面に発光ダイオード等の照明具をややへこませ点灯可能に配設し、この照明具の上面に生じた凹部にラベンダー等の香料材を装填するようにした請求項１に記載の遺骨の収納体。【発明の詳細な説明】【０００１】【発明が属する技術分野】本発明は、仏具分野における遺骨の収納体に関するものである。【０００２】【従来の技術】従来、故人の遺骨は、所定の骨壺に収容して、菩提寺に納骨したり、墓に収骨したりしている。【０００３】しかし近年、宗教に無関心な人が増え、また宗教に関心のある人であっても、土地利用の制限や経済的な理由等によって、墓地や墓標が入手困難である場合があり、故人の遺骨を身近に安置しておきたいという人も増えている。【０００４】【発明が解決しようとする課題】そこで、先行公知文献について調査したが、該当する技術は検索されなかった。そのため、上記のように故人の遺骨を故人や保存者の意向にそって、家の中の床や飾り棚等に安置して、常に身近かに接せられてメモリアル的にすることが課題であった。【０００５】【課題を解決するための手段】本発明は、上記のような点に鑑みたもので、上記の課題を解決するために、喉仏等の遺骨を持ち運び可能な１５〜３０cm程の大きさの仏像様の座禅草状に仏炎苞部、肉穂花序部を設けた形象体とし、その卵形とした肉穂花序部の上部を開閉可能としてその内部に遺骨を収容するようにして、この形象体を家庭の床や飾り棚等に安置するようにしたことを特徴とする遺骨の収納体を提供するにある。【０００６】また、形象体を台座に搭載してその台座の上面に発光ダイオード等の照明具をややへこませ点灯可能に配設し、この照明具の上面に生じた凹部にラベンダー等の香料材を装填するようにしたことを特徴とする遺骨の収納体を提供するにある。【０００７】【発明の実施の態様】本発明の遺骨の収納体は、喉仏等の遺骨を持ち運び可能な１５〜３０cm程の大きさの仏像様の座禅草状に仏炎苞部、肉穂花序部を設けた形象体とし、その卵形とした肉穂花序部の上部を開閉可能としてその内部に遺骨を収容するようにして、この形象体を家庭の床や飾り棚等に安置するようにしたことを特徴としている。【０００８】遺骨の収納体１は、図１(a) 、(b) のように座禅草を模擬して仏炎苞部２、肉穂花序部３等を設けた形象体４を蓮華台等の台座５に結合分離可能に搭載して形成していて、その肉穂花序部３等に故人の喉仏等の遺骨６を収容器７を介して収容したり、直接収納するようにしている。【０００９】形象体４は、木材や鋳銅、陶磁器、セラミックス材等で、高さが１５〜３０cm、好ましいのは２０cm位の高さの持ち運び容易な大きさとして、家庭の床や飾り棚等に容易に安置して保存できるようにしているもので、上記したように宗教に余り関心がない人にも抵抗���ないように座禅草の草花のように仏の姿に似ているのが好ましいものである。【００１０】その選択は、近年宗教に無関心な人が増え、また宗教に関心のある人であっても、土地利用の制限や経済的な理由等によって墓地や墓標が入手困難である場合があり、故人の遺骨を身近に安置しておきたいという人の願望に適えられたり、遭遇できて満足が得られるようにすることにあり、そのような要望の形象体とするものである。【００１１】上記座禅草を模擬した形象体４や台座５は、セラミックス材で形成するのが適宜に彩色を施せて、損壊しなくできて好ましく、また図１のように蓮華台のような台座５に搭載するのが尊厳を保有するようにできて好ましいが、場合によっては省略することも可能であるとともに、その他の適宜な手段を代替できる。【００１２】また、故人の遺骨６としては、いわゆる仏様の喉仏が好ましいが、体の他の部分の遺骨であってもよく、また遺骨６を仏様や神様に固めたものであってもよく、故人や保存者の意向によって適宜に選択することができる。【００１３】そして、この遺骨６を収容するにあっては、そのまま上記した形象体４の肉穂花序部３等に直接収容することもできるが、図１(b) のように肉穂花序部３の上部を開閉可能にして図２のように筒状の収容器７に収容して形象体４に収納する方が素人でも出し入れが容易にできるので好ましく、この収容器７としてはガラス容器、プラスチック容器、陶磁器、セラミックス器等で図２のように上下に分離したりして出し入れ可能に形成することができるものである。この場合にも、セラミックス材で形成するのが適宜に彩色を施せて、損壊しなくできて好ましい。【００１４】そしてまた、図２のようにこの収容器７の遺骨６を収容する収容部８に、その下部に西陣織等で形成した座布団状の設置材９を配置し、後部に金箔や銀箔、金箔状や銀箔状の装飾材１０を配置するのが、荘厳にできて好ましい。【００１５】上記収容器７は、ガラス容器やプラスチック容器の透明体で形成すると、内部を見えるようにできて、上記の設置材９や装飾材１０も収容器７の外から見ることができて好ましい。【００１６】このように遺骨６を収納するようにした形象体４の下部の台座５には、図１(b) のように乾電池等の電池１１を収容して、台座５の上面の左右部等に発光ダイオード等の照明具１２を一体的に配設して、形象体４の前面や背部を照明するようにしている。１３は、電池１１の取り替え用蓋である。【００１７】また、この台座５部には、図１(a) 、(b) のように上記した照明具１２の上面等を台座５部から少しへこませた凹部１４とし、この凹部１４にアロマオイル等の香料材１５を少量装填するようにしてペパーミントやラベンダー、ローズ等の香りを生じるようにすることもできる。特に、照明具１２の上面に装填すると、照明１２の発熱で香りをよりよく放出できるとともに、香料材１５のほのかな着色によって照明の彩色を変化させることができて楽しめるものである。【００１８】【実施例】図１、図２は、本発明の一実施例を示すものである。遺骨の収納体１の形象体４は、親しみ易いように図１(a) 、(b) のように座禅草に模擬させて、損壊しにくく、耐熱性のあるセラミックス材でほぼ２０cmの高さの持ち運び容易な大��さに耐久性よく形成したものである。【００１９】そして、その肉穂花序部３を卵形として上部を開閉可能として、その内部に図２のような故人の喉仏等の遺骨６を収容するアクリル樹脂の透明なプラスチック材で筒状のカプセル状に形成した収容器７を収納し、仏炎苞部２、肉穂花序部３の下端を蓮華台の台座５に嵌入して搭載して家庭の床の間や飾り棚等に身近かに安置して保存しておけるようにしている。【００２０】特に、上記収容器７は、内部に喉仏の遺骨６を収容できる６cm径×８cm高さの大きさとし、上面を開閉可能としてその下部に西陣織で形成した座布団状の設置材９を配置し、後部に真ちゅう箔の金箔状の装飾材１０を配置している。【００２１】そして、台座５に乾電池等の電池１１を収容して、台座５の上面に発光ダイオード等の照明具１２の上面をややへこませて配設し、照明具１２の上面に生じた凹部１４にラベンダー等の香料材１５を装填し、スイッチにより形象体４の前面や後部を照明するようにしている。【００２２】このように故人の遺骨を親しみ易いメモリアルな形象体に収納して、家庭内の身近かな所に安置できるため、高額な費用を必要とすることなく、故人と親しく接する状態に耐久性よく保存して大切にできるものである。【００２３】また、電池１１のスイッチを入れて照明具１２で照明することができるもので、家庭内に設置していても、仏壇のように宗教的色彩がなくて、あたかも装飾品のように親密感が生じて安置しておくことができる。さらに、香料材１５から香りが発生し、和やかにすることができる。特に、照明具１２の発熱によって香料をよりよく放散できて好ましい。【００２４】さらに、収容器７を透明体として、内部に金箔状の装飾材１０、座布団状の設置材９を装着することによって、遺骨６を荘重にでき、家庭に保存していても、上記のように親密感があるにもかかわらず故人を尊重して安置することができて好ましいものである。【００２５】【発明の効果】以上のように本発明にあっては、喉仏等の遺骨を持ち運び可能な１５〜３０cm程の大きさの仏像様の座禅草状に仏炎苞部、肉穂花序部を設けた形象体とし、その卵形とした肉穂花序部の上部を開閉可能としてその内部に遺骨を収容するようにして、この形象体を家庭の床や飾り棚等に安置するようにしたので、遺骨を親しみ易い座禅草状の形象体に収納して家庭内の身近かな所に安置でき、宗教的色彩の少ないものとして、誰でもが身近に大切に保存するようにできる。【００２６】さらにまた、形象体を台座に搭載してその台座の上面に発光ダイオード等の照明具をややへこませ点灯可能に配設し、この照明具の上面に生じた凹部にラベンダー等の香料材を装填することによって、照明具で照明することができて、家庭に設置していても、仏壇のように宗教的色彩がなくて、あたかも装飾品のように親密感が生じて安置しておくことができ、さらに、香料材から香りが発生して和やかにすることができるものである。【図面の簡単な説明】【図１】本発明の一実施例の正面図（ａ）と一部省略した側断面図（ｂ）、【図２】同上の収容器の拡大正断面図。【符号の説明】１…収納体      ４…形象体        ６…遺骨        ７…収容器      ９…設置材  １０…装飾材    １２…照明具
【手続補正３】
【補正対象書類名】図面
【補正対象項目名】図３
【補正方法】削除
【補正の内容】